(57)【要約】【課題】端子収容室における端子の保持を安定化することができるコネクタを提供する。【解決手段】端子収容室３と、この端子収容室３に収容される接続部５を有する端子７と、この端子７を係止する係止部９を有し端子収容室３内に撓み可能に設けられた係止ランス１１とを備えたコネクタ１において、端子７の接続部５に、係止ランス１１が復元された状態で係止ランス１１の係止部９と端子７の端子収容室３からの離脱方向に係合する係合凸部１３を設け、係止部９の係止ランス１１の撓み方向前側の先端に、係合凸部１３に係合して係止ランス１１の復元方向への変位を規制する保持部１５を設けた。【選択図】図６
2018156760.tif 000002
【特許請求の範囲】
【請求項１】
端子収容室と、この端子収容室に収容される接続部を有する端子と、この端子を係止する係止部を有し前記端子収容室内に撓み可能に設けられた係止ランスとを備えたコネクタであって、
前記端子の前記接続部には、前記係止ランスが復元された状態で前記係止ランスの前記係止部と前記端子の前記端子収容室からの離脱方向に係合する係合凸部が設けられ、
前記係止部の前記係止ランスの撓み方向前側の先端には、前記係合凸部に係合して前記係止ランスの復元方向への変位を規制する保持部が設けられていることを特徴とするコネクタ。
【請求項２】
請求項１記載のコネクタであって、
前記接続部は、復元された前記係止ランスの前記係止部を内部に挿入可能な箱状に形成され内部に弾性変形可能な弾性片を有することを特徴とするコネクタ。
【請求項３】
請求項１又は２記載のコネクタであって、
前記係止ランスの撓み方向には、前記係止ランスの撓み方向への変位を規制する規制部が挿入される挿入部が設けられ、
前記係止部の前記係合凸部と係合する係合面には、前記係止ランスの復元方向前側の先端から前記端子の前記端子収容室からの離脱方向に向けて傾斜する係止斜面と、前記保持部の先端から前記端子の前記端子収容室からの離脱方向に向けて傾斜し前記係止斜面に連続する保持斜面とが設けられ、
前記保持部の前記端子の前記端子収容室への挿入方向に向けた突出量は、前記係止斜面の前記係止ランスの復元方向前側の先端の前記端子の前記端子収容室への挿入方向に向けた突出量より小さく設定されていることを特徴とするコネクタ。
【発明の詳細な説明】
【技術分野】
【０００１】
本発明は、コネクタに関する。詳細には、端子収容室に収容される端子を係止する係止ランスを有するコネクタに関する。
【背景技術】
【０００２】
従来、コネクタとしては、端子収容室と、この端子収容室に収容される接続部を有する端子と、この端子を係止する係止部を有し端子収容室内に撓み可能に設けられた係止ランスとを備えたものが知られている（例えば、特許文献１参照）。
【０００３】
このコネクタでは、端子の接続部には、係止ランスが復元された状態で係止ランスの係止部と端子の端子収容室からの離脱方向に係合する係合凸部としてのランス被係止部が設けられ、係止部とランス被係止部との係合により端子の端子収容室からの抜け止めがなされる。
【先行技術文献】
【特許文献】
【０００４】
【特許文献１】特開２０１２−４３７１８号公報
【発明の概要】
【発明が解決しようとする課題】
【０００５】
しかしながら、上記特許文献１のようなコネクタでは、端子収容室内の端子に電線を介して電線引っ張り力などの外力が加わると、係止ランスが復元方向に変位され、端子の係合凸部と係止ランスの係止部との係合面における係合代が不十分となり、端子収容室における端子の保持が不安定になる恐れがあった。
【０００６】
そこで、この発明は、端子収容室における端子の保持を安定化することができるコネクタの提供を目的としている。
【課題を解決するための手段】
【０００７】
請求項１記載の発明は、端子収容室と、この端子収容室に収容される接続部を有する端子と、この端子を係止する係止部を有し前記端子収容室内に撓み可能に設けられた係止ランスとを備えたコネクタであって、前記端子の前記接続部には、前記係止ランスが復元された状態で前記係止ランスの前記係止部と前記端子の前記端子収容室からの離脱方向に係合する係合凸部が設けられ、前記係止部の前記係止ランスの撓み方向前側の先端には、前記係合凸部に係合して前記係止ランスの復元方向への変位を規制する保持部が設けられていることを特徴とする。
【０００８】
このコネクタでは、係止部の係止ランスの撓み方向前側の先端に、係合凸部に係合して係止ランスの復元方向への変位を規制する保持部が設けられているので、係合凸部と保持部との係合により係止ランスが復元方向に変位されることを防止することができる。
【０００９】
このため、端子収容室内の端子に電線を介して電線引っ張り力などの外力が加わっても、係止ランスが復元方向に変位することがなく、端子の係合凸部と係止ランスの係止部との係合面における係合代を保持することができる。
【００１０】
従って、このようなコネクタでは、端子収容室における端子の保持を安定化することができる。
【００１１】
請求項２記載の発明は、請求項１記載のコネクタであって、前記接続部は、復元された前記係止ランスの前記係止部を内部に挿入可能な箱状に形成され内部に弾性変形可能な弾性片を有することを特徴とする。
【００１２】
このコネクタでは、接続部が、復元された係止ランスの係止部を内部に挿入可能な箱状に形成され内部に弾性変形可能な弾性片を有するので、係止ランスが過度に復元された場合、係止部が弾性片と干渉し弾性片に変形が発生する恐れがある。
【００１３】
しかしながら、係止ランスは、係合凸部と保持部との係合により復元方向の変位が規制されているので、係止部と弾性片とが干渉することがなく、弾性片の変形を防止することができる。
【００１４】
請求項３記載の発明は、請求項１又は２記載のコネクタであって、前記係止ランスの撓み方向には、前記係止ランスの撓み方向への変位を規制する規制部が挿入される挿入部が設けられ、前記係止部の前記係合凸部と係合する係合面には、前記係止ランスの復元方向前側の先端から前記端子の前記端子収容室からの離脱方向に向けて傾斜する係止斜面と、前記保持部の先端から前記端子の前記端子収容室からの離脱方向に向けて傾斜し前記係止斜面に連続する保持斜面とが設けられ、前記保持部の前記端子の前記端子収容室への挿入方向に向けた突出量は、前記係止斜面の前記係止ランスの復元方向前側の先端の前記端子の前記端子収容室への挿入方向に向けた突出量より小さく設定されていることを特徴とする。
【００１５】
このコネクタでは、保持部の端子の端子収容室への挿入方向に向けた突出量が、係止斜面の係止ランスの復元方向前側の先端の端子の端子収容室への挿入方向に向けた突出量より小さく設定されているので、係止部と係合凸部とが係合した状態で保持部の張り出しを小さく抑えることができ、規制部の挿入部への挿入を阻害することがない。
【００１６】
端子が端子収容室に正規に挿入されていない場合には、係止ランスが撓まされて保持部が係止ランスの撓み方向の挿入部に張り出された状態となり、規制部を挿入部に挿入する際に、規制部が保持部と当接して規制部を挿入部に挿入することができず、端子の半挿入状態を検知することができる。
【００１７】
この規制部と保持部との当接において、保持部の端子の端子収容室への挿入方向に向けた突出量が小さく設定されているので、規制部と保持斜面を含めて当接させ、広い範囲で規制部の挿入力を受けることができ、安定して端子の半挿入状態を検知することができる。
【発明の効果】
【００１８】
本発明によれば、端子収容室における端子の保持を安定化することができるコネクタを提供することができるという効果を奏する。
【図面の簡単な説明】
【００１９】
【図１】本発明の実施の形態に係るコネクタの斜視図である。
【図２】図１のコネクタを逆側から見たときの斜視図である。
【図３】本発明の実施の形態に係るコネクタの端子の斜視図である。
【図４】本発明の実施の形態に係るコネクタの係止ランスの斜視図である。
【図５】図４の側面図である。
【図６】本発明の実施の形態に係るコネクタの断面図である。
【図７】図６の要部拡大図である。
【図８】（ａ）は本発明の実施の形態に係るコネクタの端子が半挿入状態のときの断面図である。（ｂ）は図８（ａ）の要部拡大図である。
【発明を実施するための形態】
【００２０】
図１〜図８を用いて本発明の実施の形態に係るコネクタについて説明する。
【００２１】
本実施の形態に係るコネクタ１は、端子収容室３と、この端子収容室３に収容される接続部５を有する端子７と、この端子７を係止する係止部９を有し端子収容室３内に撓み可能に設けられた係止ランス１１とを備えている。
【００２２】
また、端子７の接続部５には、係止ランス１１が復元された状態で係止ランス１１の係止部９と端子７の端子収容室３からの離脱方向に係合する係合凸部１３が設けられている。
【００２３】
そして、係止部９の係止ランス１１の撓み方向前側の先端には、係合凸部１３に係合して係止ランス１１の復元方向への変位を規制する保持部１５が設けられている。
【００２４】
また、接続部５は、復元された係止ランス１１の係止部９を内部に挿入可能な箱状に形成され内部に弾性変形可能な弾性片１７を有する。
【００２５】
さらに、係止ランス１１の撓み方向には、係止ランス１１の撓み方向への変位を規制する規制部１９が挿入される挿入部２１が設けられている。
【００２６】
また、係止部９の係合凸部１３と係合する係合面には、係止ランス１１の復元方向前側の先端から端子７の端子収容室３からの離脱方向に向けて傾斜する係止斜面２３と、保持部１５の先端から端子７の端子収容室３からの離脱方向に向けて傾斜し係止斜面２３に連続する保持斜面２５とが設けられている。
【００２７】
そして、保持部１５の端子７の端子収容室３への挿入方向に向けた突出量は、係止斜面２３の係止ランス１１の復元方向前側の先端の端子７の端子収容室３への挿入方向に向けた突出量より小さく設定されている。
【００２８】
図１〜図８に示すように、コネクタ１は、合成樹脂などの絶縁性材料からなるハウジング２７を有し、ハウジング２７にはレバー２９が回動可能に組付けられる。
【００２９】
このハウジング２７は、レバー２９の回動により、相手ハウジング（不図示）と嵌合可能となっている。
【００３０】
このようなハウジング２７には、複数の端子収容室３が設けられ、相手ハウジングと嵌合することにより、相手ハウジングに収容された複数の相手端子（不図示）と複数の端子収容室３に収容された複数の端子７とが電気的に接続される。
【００３１】
端子収容室３は、長さ方向の一端側が端子７を内部に挿入させる挿入開口３１となっており、長さ方向の他端側が内部に収容された端子７に接続される相手端子の雄型のタブ状の接続部（不図示）が挿入される接続開口３３となっている。
【００３２】
この複数の端子収容室３には、長さ方向の一端側の挿入開口３１からそれぞれ複数の端子７が収容される。
【００３３】
端子７は、導電性材料からなる１枚の板材に対して、打ち抜き加工や折り曲げ加工などを施すことによって、電線接続部３５と、接続部５とが連続する一部材で形成されている。
【００３４】
電線接続部３５は、被覆圧着部３７と、芯線圧着部３９とを備えている。
【００３５】
被覆圧着部３７は、一対の加締め片からなり、電源や機器などに接続された電線４１の端末部において、電線４１の被覆部を加締める。
【００３６】
この被覆圧着部３７を電線４１の被覆部に加締めることにより、端子７が電線４１に固定される。
【００３７】
芯線圧着部３９は、接続部５と被覆圧着部３７との間に設けられた一対の圧着片からなり、電線４１の端末部において、電線４１の被覆部から露出された芯線部を加締めて圧着される。
【００３８】
この芯線圧着部３９を電線４１の芯線部に圧着させることにより、端子７が電線４１に電気的に接続される。
【００３９】
接続部５は、底壁が電線接続部３５と連続する一部材で形成され、両側壁と上壁とを折り曲げ加工によって箱状に形成された雌型の接続部からなる。
【００４０】
この接続部５には、内部に接続部５と連続する一部材で所定の付勢力を有するように弾性変形可能に接点部４３を有する弾性片１７が設けられている。
【００４１】
このような接続部５には、長さ方向の一端側に開口が設けられ、この開口から内部に相手端子のタブ状の接続部が挿入され、弾性片１７の付勢力によって接点部４３がタブ状の接続部と接触することにより、端子７と相手端子とが電気的に接続される。
【００４２】
このような箱状の接続部５を有する端子７は、端子収容室３の挿入開口３１から端子収容室３内に挿入され、端子収容室３内に設けられた係止ランス１１に係止されることにより、端子収容室３からの抜け止めがなされる。
【００４３】
係止ランス１１は、基端側が端子収容室３の底壁と連続する一部材で形成され、自由端側が端子収容室３の内部に向けて傾斜しタブ状の接続部が挿入される接続開口３３側に配置され、端子収容室３内の上下方向に撓み可能に設けられている。
【００４４】
この係止ランス１１の自由端側には、端子７に設けられた係合凸部１３に係合される係止部９が係止ランス１１と連続する一部材で上方に向けて突設されている。
【００４５】
この係止ランス１１の係止部９と端子７の係合凸部１３とは、端子収容室３内に端子７が収容された状態で、端子７の端子収容室３からの離脱方向に対向する互いの係合面が係合することにより、端子７が端子収容室３内に係止される。
【００４６】
ここで、端子収容室３のタブ状の接続部が挿入される接続開口３３は、ハウジング２７に組付けられるフロントホルダ４５に形成されている。
【００４７】
このフロントホルダ４５は、ハウジング２７に組付けられた状態で、係止ランス１１に係止された端子７の接続部５の先端側に配置され、端子７の端子収容室３へのそれ以上の挿入を規制する。
【００４８】
このようなフロントホルダ４５には、係止ランス１１の撓み方向である下方に位置する係止ランス１１の撓みを許容する空間で形成された挿入部２１に挿入される規制部１９が設けられている。
【００４９】
この規制部１９は、端子７を端子収容室３に挿入させる場合、フロントホルダ４５がハウジング２７に対して仮係止状態となっており、係止ランス１１の下方に位置する挿入部２１に挿入されず、係止ランス１１が撓み可能となって係止ランス１１が端子７を係止することができる。
【００５０】
一方、規制部１９は、端子７を端子収容室３に収容させた後、フロントホルダ４５をハウジング２７に対して本係止状態とさせることにより、係止ランス１１の下方に位置する挿入部２１に挿入され、係止ランス１１が撓み不能となって係止ランス１１による端子７の係止が解除されることを防止する。
【００５１】
なお、係止ランス１１の係止部９の幅方向両側には、解除治具（不図示）によって係止ランス１１を下方に向けて撓ませ、係止部９と端子７の係合凸部１３との係合を解除させる解除部４７がそれぞれ設けられている。
【００５２】
このような係止ランス１１の係止部９と係合する係合凸部１３は、端子７の接続部５に設けられている。
【００５３】
係合凸部１３は、端子７の接続部５の先端側で、接続部５の上壁に接続部５と連続する一部材で外方に向けて突設されている。
【００５４】
この係合凸部１３は、接続部５の中心を通る端子７の端子収容室３に対する挿抜方向の直線に対して、この直線と直交する方向のいずれか一方の側に配置されている。
【００５５】
このように係合凸部１３を接続部５の長さ方向の中心と異なる位置に配置させることにより、端子７の端子収容室３への誤挿入などを防止することができる。
【００５６】
このような係合凸部１３の電線接続部３５側には、係止ランス１１の係止部９を挿入可能なように接続部５の上壁を切り欠いた切欠部４９が設けられ、弾性変形から復元された係止ランス１１の係止部９が挿入される。
【００５７】
このような切欠部４９側に位置する係合凸部１３の端面は、係止ランス１１の係止部９と端子７の端子収容室３からの離脱方向に対向する係合面となっており、この係合面は切欠部４９の内部にも配置されている。
【００５８】
このように係止ランス１１の係止部９を挿入可能な切欠部４９を設け、切欠部４９の内部に係合凸部１３の係合面を設けることにより、係合凸部１３と係止部９との互いの係合面における係合代を十分に確保することができ、端子７の端子収容室３からの抜け止めを安定して行うことができる。
【００５９】
このような係合凸部１３が設けられた端子７は、端子収容室３の挿入開口３１から端子収容室３内に収容され、接続部５の先端側が係止ランス１１と摺動しながら挿入されることにより、係止ランス１１を下方に向けて撓ませる。
【００６０】
そして、端子７が端子収容室３内の正規位置に配置されると、係止ランス１１が復元し、係止部９が接続部５の切欠部４９に挿入され、係合凸部１３と係止部９とが係合し、端子７の端子収容室３からの抜け止めがなされる。
【００６１】
このように端子７の係合凸部１３に係合して端子７の端子収容室３からの抜け止めを行う係止ランス１１の係止部９には、保持部１５が設けられている。
【００６２】
保持部１５は、係止ランス１１の係止部９において、係止部９の係止ランス１１の撓み方向前側の端部に位置され、係止部９の係合凸部１３との係合面から端子７の端子収容室３への挿入方向に向けて係止部９と連続する一部材で突設されている。
【００６３】
この保持部１５は、係止ランス１１が端子７の接続部５との摺動を終えた後、係止ランス１１の復元によって係止部９が接続部５の切欠部４９に挿入されたときに、係合凸部１３の端部と当接可能に配置される。
【００６４】
この保持部１５が係合凸部１３と係合することにより、端子７の係合凸部１３と係止ランス１１の係止部９とが係合した状態で、係止ランス１１が復元方向に変位することを規制することができる。
【００６５】
このため、ハウジング２７から引き出された電線４１に引っ張り力などの外力が加わったとしても、係止ランス１１が復元方向に変位することがなく、端子７の係合凸部１３と係止ランス１１の係止部９との係合位置を保持することができ、係止部９と係合凸部１３との係合代を確保することができる。
【００６６】
加えて、保持部１５と係合凸部１３との係合により係止ランス１１の復元方向への変位が規制されているので、係止ランス１１の係止部９が必要以上に接続部５内に入り込むことがなく、係止部９と弾性片１７との干渉を防止することができる。
【００６７】
このため、弾性片１７の変形を防止することができ、弾性片１７の付勢力を保持し、所定の付勢力で接点部４３を相手端子の接続部に接触させることができ、端子７と相手端子との接続信頼性を保持することができる。
【００６８】
このような保持部１５が設けられた係止部９の係合凸部１３との係合面には、係止斜面２３と、保持斜面２５とが設けられている。
【００６９】
係止斜面２３は、係止部９の係合面において、係止ランス１１の復元方向前側の先端から端子７の端子収容室３からの離脱方向に向けて傾斜されている。
【００７０】
この係止斜面２３は、係止部９が接続部５の切欠部４９内に挿入された状態で係合凸部１３と係合すると共に、その傾斜によって係止ランス１１の復元による係止部９の切欠部４９への挿入を行い易くしている。
【００７１】
保持斜面２５は、係止部９の係合面において、保持部１５の先端、すなわち係止ランス１１の撓み方向前側の先端から端子７の端子収容室３からの離脱方向に向けて傾斜し、係止斜面２３に連続して形成されている。
【００７２】
この保持斜面２５は、係止部９が接続部５の切欠部４９内に挿入された状態で係合凸部１３の端部と当接可能に配置されると共に、その傾斜によって係合凸部１３の端部との係合を行い易くしている。
【００７３】
このような係止部９の係合面から端子７の端子収容室３への挿入方向に向けて突設された保持部１５の突出量は、係止斜面２３の係止ランス１１の復元方向前側の先端の端子７の端子収容室３への挿入方向に向けた突出量より小さく設定されている。
【００７４】
このように保持部１５の突出量を小さく設定することにより、係止部９と係合凸部１３とが係合した状態で、接続部５の外周における保持部１５の張り出しを小さく抑えることができ、規制部１９の挿入部２１への挿入を阻害することがない。
【００７５】
ここで、保持部１５は、図８に示すように、端子７が端子収容室３に正規に挿入されていない場合、係止ランス１１が撓まされた状態となり、保持部１５が係止ランス１１の撓み方向に位置する挿入部２１に配置された状態となる。
【００７６】
この状態で、規制部１９を挿入部２１に挿入すると、規制部１９が保持部１５と当接して規制部１９を挿入部２１に挿入することができず、端子収容室３に対する端子７の半挿入状態を検知することができる。
【００７７】
このような規制部１９と保持部１５との当接において、係止部９の係合面からの保持部１５の突出量が大きいと、保持部１５の先端と規制部１９の先端とが点接触になり易く、保持部１５を損傷させて誤って規制部１９が挿入部２１に挿入されてしまい、端子７の半挿入状態を検知できない恐れがある。
【００７８】
そこで、係止部９の係合面からの保持部１５の突出量を小さく設定することにより、規制部１９との当接面に保持斜面２５を含めることができ、広い範囲で規制部１９の挿入力を受けることができ、規制部１９の挿入部２１への挿入を防止して安定して端子７の半挿入状態を検知することができる。
【００７９】
このようなコネクタ１では、係止部９の係止ランス１１の撓み方向前側の先端に、係合凸部１３に係合して係止ランス１１の復元方向への変位を規制する保持部１５が設けられているので、係合凸部１３と保持部１５との係合により係止ランス１１が復元方向に変位されることを防止することができる。
【００８０】
このため、端子収容室３内の端子７に電線４１を介して電線引っ張り力などの外力が加わっても、係止ランス１１が復元方向に変位することがなく、端子７の係合凸部１３と係止ランス１１の係止部９との係合面における係合代を保持することができる。
【００８１】
従って、このようなコネクタ１では、端子収容室３における端子７の保持を安定化することができる。
【００８２】
また、接続部５は、復元された係止ランス１１の係止部９を内部に挿入可能な箱状に形成され内部に弾性変形可能な弾性片１７を有するので、係止ランス１１が過度に復元された場合、係止部９が弾性片１７と干渉し弾性片１７に変形が発生する恐れがある。
【００８３】
しかしながら、係止ランス１１は、係合凸部１３と保持部１５との係合により復元方向の変位が規制されているので、係止部９と弾性片１７とが干渉することがなく、弾性片１７の変形を防止することができる。
【００８４】
さらに、保持部１５の端子７の端子収容室３への挿入方向に向けた突出量は、係止斜面２３の係止ランス１１の復元方向前側の先端の端子７の端子収容室３への挿入方向に向けた突出量より小さく設定されているので、係止部９と係合凸部１３とが係合した状態で保持部１５の張り出しを小さく抑えることができ、規制部１９の挿入部２１への挿入を阻害することがない。
【００８５】
また、コネクタ１では、端子７が端子収容室３に正規に挿入されていない場合、係止ランス１１が撓まされて保持部１５が係止ランス１１の撓み方向の挿入部２１に張り出された状態となり、規制部１９を挿入部２１に挿入する際に、規制部１９が保持部１５と当接して規制部１９を挿入部２１に挿入することができず、端子７の半挿入状態を検知することができる。
【００８６】
この規制部１９と保持部１５との当接において、保持部１５の端子７の端子収容室３への挿入方向に向けた突出量が小さく設定されているので、規制部１９と保持斜面２５を含めて当接させ、広い範囲で規制部１９の挿入力を受けることができ、安定して端子７の半挿入状態を検知することができる。
【００８７】
なお、本実施の形態に係るコネクタでは、ハウジングにフロントホルダを組付け、端子収容室の接続開口を形成させているが、これに限らず、ハウジングにフロントホルダを組付けずに、端子収容室に接続開口を形成させてもよい。
【００８８】
この場合には、端子収容室の接続開口側に規制部を挿入可能な開口を設け、この開口から規制部を挿入部に挿入し、係止ランスの撓みを規制すればよい。
【００８９】
また、ハウジングにレバーを組付けているが、これに限らず、ハウジングにレバーを組付けずに、相手ハウジングと嵌合するようにしてもよい。
【符号の説明】
【００９０】
１…コネクタ
３…端子収容室
５…接続部
７…端子
９…係止部
１１…係止ランス
１３…係合凸部
１５…保持部
１７…弾性片
１９…規制部
２１…挿入部
２３…係止斜面
２５…保持斜面
【図１】
2018156760.tif 000003
【図２】
2018156760.tif 000004
【図３】
2018156760.tif 000005
【図４】
2018156760.tif 000006
【図５】
2018156760.tif 000007
【図６】
2018156760.tif 000008
【図７】
2018156760.tif 000009
【図８】
2018156760.tif 000010